(57)【要約】　　　（修正有）【課題】薄型化でき、重量を軽くでき、生産コストを減じ、安全性を具備する。【解決手段】プラズマディスプレイパネルが前面ガラス基板と背面ガラス基板を具え、この前面ガラス基板を透過して映像を外界に表示し、背面ガラス基板のが適当な距離を以て前面ガラス基板に対向し、且つ背面ガラス基板と前面ガラス基板の間にプラズマが設けられ、フィルタが直接前面ガラス基板に形成され、フィルタが前面ガラス基板により強化及び支持され、このフィルタにより従来のガラスが省略される。【選択図】　　図１
0003098752.tif 000002
【実用新案登録請求の範囲】
【請求項１】
プラズマディスプレイパネルの画像を透過させて外界に表示する前面ガラス基板と該前面ガラス基板と対向するよう配置されて該前面ガラス基板との間にプラズマが設けられた背面ガラス基板とを具えたプラズマディスプレイパネルと、該前面ガラス基板の上に直接形成されたフィルタとで構成されたことを特徴とする、プラズマディスプレイパネル装置。
【請求項２】
請求項１記載のプラズマディスプレイパネル装置において、フィルタよりガラス層が排除されたことを特徴とする、プラズマディスプレイパネル装置。
【請求項３】
請求項２記載のプラズマディスプレイパネル装置において、フィルタが電磁波遮蔽層、色補正層及び防眩層を具えたことを特徴とする、プラズマディスプレイパネル装置。
【請求項４】
プラズマディスプレイパネルの画像を透過させて外界に表示する前面ガラス基板と該前面ガラス基板と対向するよう配置されて該前面ガラス基板との間にプラズマが設けられた背面ガラス基板とを具えたプラズマディスプレイパネルと、該前面ガラス基板の上に直接形成されて電磁波遮蔽層、色補正層及び防眩層で組成されたフィルタと、を具えたことを特徴とする、プラズマディスプレイパネル装置。
【考案の詳細な説明】
【０００１】
【考案の属する技術分野】
本考案は一種のプラズマディスプレイパネル装置に係り、特に、プラズマディスプレイパネルとフィルタを具えたプラズマディスプレイパネル装置に関する。
【０００２】
【従来の技術】
プラズマテレビは薄型で高画質の利点から、未来のカラーテレビの主流となる製品の一つとされるが、製作過程からみるとプラズマテレビは製造行程の複雑度が高く、生産能力を高めにくく、現在プラズマテレビはビジネス用が主流である。しかし将来の家電市場にあって成長する潜在力を有すると期待されているため、アジアの各メーカーは積極的にプラズマテレビの研究開発を進めており、ソニー、ＮＥＣ、シャープ、パイオニア、日立、三菱、韓国のＬＧ、三星、台湾の達碁、華映、聲寶、台塑、瑞隆などのメーカーが研究グループを形成して将来のプラズマテレビ市場のための積極的な開発を進めている。
【０００３】
プラズマテレビはプラズマディスプレイパネル（ＰＤＰ）で組成される。このプラズマディスプレイパネルは二つのガラス基板の間に慣性ガス、即ちプラズマ（ネオンガスとキセノンガスの混合体）を封入して、外から加えられる電場により電子放電を発生する時、電子放電がこの慣性ガスのエネルギーを変換して紫外線を放出させてガラス基板に塗布された赤、青、緑の蛍光粉を励起させ、この蛍光粉が励起された後に人の眼で認識できる可視光を発生し、可視光がカラー画面を構成する。これにより、プラズマテレビは広視野角、速い光電反応特性を有し、自発光ディスプレイに属する。
【０００４】
使用者がプラズマテレビを観る時の画面を十分に鮮明とすると共に電磁波輻射を防止するため、プラズマテレビ中にはフィルタがプラズマディスプレイパネルの可視光発射面の前方に配置される。図４は周知のプラズマテレビ中のプラズマディスプレイパネルとフィルタの簡単な構造図である。プラズマテレビ４００は前面ガラス基板４１５と背面ガラス基板４１７の間にプラズマを具えたプラズマディスプレイパネル４１０及びその前方に位置するフィルタ４２０を具えている。プラズマディスプレイパネル４１０中のプラズマは電極の励起により発生する可視光が前面ガラス基板４１５を透過してカラー画面を構成し、且つこの可視光がフィルタを透過してそれ自身の付帯する電磁波が除去されると共に、それ自身のカラーコントラストが自然で柔和とされる。
【０００５】
一般には、プラズマテレビ４００中のフィルタ４２０はさらに一層のガラス層４３０を具え、このガラス層４３０はフィルタ４２０を強化及び支持するために設けられる。可視光が前面ガラス基板４１５とこのガラス層４３０を通過する時、この二層のガラスの影響によりメッシュ（ｍｅｓｈ）を発生する。これにより、フィルタ４２０はプラズマディスプレイパネル４１０の前方に置かれなければならないほか、前面ガラス基板４１５と適当な距離を保持しなければならず、これにより上述の二層のガラス（前面ガラス基板４１５、ガラス層４３０）が可視光に発生させるメッシュを防止する。通常、フィルタ４２０と前面ガラス基板４１５の間の距離は５ｍｍとされる。
【０００６】
ゆえに周知のプラズマテレビは、プラズマディスプレイパネルとフィルタの間に間隙があるため厚さが増加し、且つフィルタはプラズマテレビの製造中にあって欠点を有しており、例えば、フィルタ中のガラスの取得が容易でなく且つ価格が高く、且つプラズマテレビが衝突を受けてフィルタが押圧される時、フィルタ中のガラスが圧迫されて破裂する恐れがあり、これによりプラズマテレビの安全性上の問題が形成された。また、フィルタ中のガラスは４２インチ、５０インチプラズマテレビ中で５ｋｇ、１０ｋｇの重量を有し、このため、フィルタ中のガラスが上述のようにプラズマテレビ中で一定の厚さを有するほかに、プラズマテレビの重量を増加させる。
【０００７】
【考案が解決しようとする課題】
これにより、いかにプラズマテレビにおいてプラズマディスプレイパネルとフィルタの組合せ構造よりフィルタ中のガラスを取り去るかを検討すべきである。
【０００８】
ゆえに、本考案はプラズマディスプレイパネル装置の構造を提供し、それはプラズマテレビをさらに薄型化でき、重量を減らせ、生産コストを減らして附加価値を高めることができ、且つフィルタ中のガラスが圧迫により破裂することがなく安全性が考慮されたものとする。
【０００９】
本考案の主要な目的は、一種のプラズマディスプレイパネル装置を提供することにあり、それは、プラズマディスプレイパネルとフィルタを具え、該プラズマディスプレイパネルは前面ガラス基板と背面ガラス基板を具え、該前面ガラス基板を透過して画像を外界に表示し、背面ガラス基板と前面ガラス基板の間にプラズマが設けられ、フィルタが直接該前面ガラス基板に形成され、プラズマディスプレイパネル装置の構造にあって、直接フィルタが形成されたことにより、プラズマディスプレイパネル装置が光学フィルタレンズ機能を具えたプラズマディスプレイパネル装置とされたものとする。
【００１０】
本考案の好ましい実施例において、フィルタはガラス層を具備せず且つプラズマディスプレイパネルに対向する側から順に電磁波遮蔽層、色補正層、硬化処理層、防眩層が設けられている。
【００１１】
本考案の次の目的は、上述のプラズマディスプレイパネル装置を運用したプラズマテレビを提供することにあり、それは、上述の光学フィルタレンズ機能を具えたプラズマディスプレイパネル装置を具えたことにより、製造コストを節約でき、安全性を具備したものとする。
【００１２】
総合すると、本考案は一種のプラズマディスプレイパネル装置を提供し、それはプラズマテレビを更に薄型化でき、重量を軽くでき、生産コストを減して附加価値を高めることができ、且つフィルタ中のガラスの圧迫による破裂を防止した安全性を具備したものとされる。
【００１３】
【課題を解決するための手段】
請求項１の考案は、プラズマディスプレイパネルの画像を透過させて外界に表示する前面ガラス基板と該前面ガラス基板と対向するよう配置されて該前面ガラス基板との間にプラズマが設けられた背面ガラス基板とを具えたプラズマディスプレイパネルと、該前面ガラス基板の上に直接形成されたフィルタとで構成されたことを特徴とする、プラズマディスプレイパネル装置としている。
請求項２の考案は、請求項１記載のプラズマディスプレイパネル装置において、フィルタよりガラス層が排除されたことを特徴とする、プラズマディスプレイパネル装置としている。
請求項３の考案は、請求項２記載のプラズマディスプレイパネル装置において、フィルタが電磁波遮蔽層、色補正層及び防眩層を具えたことを特徴とする、プラズマディスプレイパネル装置としている。
請求項４の考案は、プラズマディスプレイパネルの画像を透過させて外界に表示する前面ガラス基板と該前面ガラス基板と対向するよう配置されて該前面ガラス基板との間にプラズマが設けられた背面ガラス基板とを具えたプラズマディスプレイパネルと、該前面ガラス基板の上に直接形成されて電磁波遮蔽層、色補正層及び防眩層で組成されたフィルタと、を具えたことを特徴とする、プラズマディスプレイパネル装置としている。
【００１４】
【考案の実施の形態】
本考案は周知のプラズマテレビがフィルタをプラズマディスプレイパネルの前方５ｍｍの位置に配置しなければならず、且つ安全性の問題があった点を改善し、フィルタを直接プラズマディスプレイパネルに形成し、フィルタとプラズマディスプレイパネルの両者の間の間隙によるフィルタ中のガラス層の破裂の問題をなくすほか、フィルタを直接プラズマディスプレイパネルに形成することにより、フィルタ中のガラス層によりフィルタを支持及び強化しなければならなかった問題を解決する。これにより本考案はプラズマテレビを更に薄型化し、且つ周知のプラズマテレビ中のフィルタとプラズマディスプレイパネル間の間隙により形成される安全性の問題を排除し、更にフィルタ中のガラス層にかかるコストを節約する。
【００１５】
【実施例】
図１は本考案の実施例のプラズマディスプレイパネル装置の側面断面の簡単な表示図である。プラズマディスプレイパネル装置１００は、プラズマディスプレイパネル１１０とフィルタ１４０で組成されている。そのうち、プラズマディスプレイパネル１１０は相互に対向する前面ガラス基板１２０と背面ガラス基板１３０の間にプラズマが充填されてなる。且つプラズマディスプレイパネル１１０が前面ガラス基板１２０を透過して画像を外界に表示するため、フィルタ１４０はプラズマディスプレイパネル装置１００の画像を外界に表示する一側に配置され、背面ガラス基板１３０は前面ガラス基板１２０と反対の一側に配置される。且つ、このプラズマディスプレイパネル装置１００の厚さを減らすため、本考案では直接フィルタ１４０が前面ガラス基板１２０に形成され、これによりこのプラズマディスプレイパネル装置１００がプラズマテレビの薄型化を可能にするものとされる。
【００１６】
本考案の別の実施例によると、このプラズマディスプレイパネル装置１００の厚さを減らすほか、フィルタ１４０の支持と強化に影響を与えない前提の下、フィルタ１４０とプラズマディスプレイパネル１１０の間の間隙が形成するガラス層の破裂の問題を解消するため、フィルタ１４０が直接前面ガラス基板１２０上に形成されるほか、フィルタ１４０中にもともとあったガラス層が排除されている。
【００１７】
図２は本考案の別の実施例のプラズマディスプレイパネル装置の簡易側面断面図である。プラズマディスプレイパネル装置２００は図１中のプラズマディスプレイパネル１１０と、ガラス層を具備しないフィルタ２０５を具えている。このフィルタ２０５からはガラス層が排除され、これによりフィルタ２０５の構造は、前面ガラス基板１２０に対向する側から順に、電磁波遮蔽層２１０、色補正層２２０、及び防眩層２３０を具えている。このプラズマディスプレイパネル装置２００はフィルタ２０５が直接プラズマディスプレイパネル１１０に形成されているほか、フィルタ２０５中よりガラス層が排除されているため、プラズマディスプレイパネル装置２００がプラズマテレビの薄型化、軽量化を可能とするだけでなく、プラズマテレビの生産コストを減らし付加価値を高める。
【００１８】
しかしこのフィルタ２０５の強度がもし十分にプラズマディスプレイパネル１１０の前面ガラス基板１２０に支持されるに十分なものでない場合を考慮し、このフィルタ２０５中の各二層の貼り合わせ部分に硬化処理層を加えてフィルタ２０５を強化することが可能である。図３は本考案のさらに別の実施例のプラズマディスプレイパネル装置３００の簡易側面断面図であり、この実施例では、プラズマディスプレイパネル装置３００中に図１のプラズマディスプレイパネル１１０と、硬化処理層３３０を具えたフィルタ３０５とを具えている。これにより、この実施例では、フィルタ３０５が前面ガラス基板１２０に対向する側より順に、電磁波遮蔽層３１０、色補正層３２０、硬化処理層３３０、及び防眩層３４０を具えている。ゆえにこのプラズマディスプレイパネル装置３００中のフィルタ３０５は硬化処理層３３０の存在により強化されている。
【００１９】
【考案の効果】
総合すると、本考案はプラズマディスプレイパネル装置を提供し、それは光学フィルタレンズ機能を具えたプラズマディスプレイパネルとされ、フィルタが直接プラズマディスプレイパネル上に形成され、且つフィルタ中のガラス層が排除されている。これにより、プラズマディスプレイパネル装置がプラズマテレビに運用される時、プラズマテレビを薄型化、軽量化できるだけでなく、生産コストを減らして附加価値を高めることができ、並びに安全性の上でも考慮されている。
【００２０】
以上は本考案の好ましい実施例の説明であり、本考案の実施範囲を限定するものではなく、本考案に基づきなしうる細部の修飾或いは改変は、いずれも本考案の請求範囲に属するものとする。
【図面の簡単な説明】
【図１】本考案の実施例のプラズマディスプレイパネル装置の簡易側面断面図である。
【図２】本考案の別の実施例のプラズマディスプレイパネル装置の簡易側面断面図である。
【図３】本考案のさらに別の実施例のプラズマディスプレイパネル装置の簡易側面断面図である。
【図４】周知のプラズマテレビ中のプラズマディスプレイパネルとフィルタの簡易構造図である。
【符号の説明】
１００、２００、３００　プラズマディスプレイパネル装置
１１０、４１０　プラズマディスプレイパネル
４３０　ガラス層
１２０、１３０、４１５、４１７　ガラス基板
１４０、２０５、３０５、４２０　フィルタ
２１０、３１０　電磁波遮蔽層
２２０、３２０　色補正層
２３０、３４０　防眩層
３３０　硬化処理層
４００　　プラズマテレビ
【図１】
0003098752.tif 000003
【図２】
0003098752.tif 000004
【図３】
0003098752.tif 000005
【図４】
0003098752.tif 000006